(57)【特許請求の範囲】
【請求項１】
記憶部を備える管理サーバの制御方法であって、前記管理サーバは、
グループを識別するためのグループ識別情報に関連付けられた、前記グループに所属する複数のユーザのそれぞれを識別するためのユーザ識別情報を取得するグループ取得ステップと、
特典を付与するためのクーポンを前記グループに送信する送信ステップと、
前記クーポンが送信された前記グループに所属するユーザのうち、特定期間中に所定の場所に位置した携帯端末を所有するユーザの比率を算出する算出ステップと、
前記比率に基づいて、前記所定の場所に位置した携帯端末を所有するユーザのグループに送信された前記クーポンによって付与される特典を変動させる変動ステップと、
を有することを特徴とする制御方法。
【請求項２】
イベントに用いられる開催場所を示す開催場所情報を前記所定の場所を示す情報として取得する開催場所取得ステップと、
前記クーポンが送信された前記グループに所属するユーザが所有する携帯端末が前記開催場所情報によって示される開催場所に位置したことを示す滞在情報を携帯端末から取得する取得ステップと、をさらに有し、
前記算出ステップにおいて、前記比率は、前記滞在情報に基づいて算出される、請求項１に記載の制御方法。
【請求項３】
前記グループに送信される前記クーポンには、前記開催場所情報が関連付けられており、
前記滞在情報によって示される携帯端末が位置した前記開催場所を示す前記開催場所情報は、前記携帯端末を所有するユーザのグループに送信された前記クーポンに関連付けられた前記開催場所情報である、請求項２に記載の制御方法。
【請求項４】
前記グループ取得ステップにおいて、前記グループ識別情報に関連付けられた、前記グループによって開催されるイベントの開催期間及び開催場所情報を取得し、
前記グループに送信される前記クーポンには、当該グループの前記グループ識別情報に関連付けられた前記開催場所情報が関連付けられており、
前記特定期間は、前記クーポンが送信された前記グループの前記グループ識別情報に関連付けられた前記開催期間である、請求項２又は３に記載の制御方法。
【請求項５】
前記管理サーバは、前記特定期間が終了すると、変動された前記特典のクーポンが送信された前記グループのグループ識別情報に関連付けて、当該グループに所属するユーザが所有する携帯端末が位置した開催場所を示す開催場所情報を、開催済み場所情報として前記記憶部に記憶する開催済み場所記憶ステップを更に有し、
前記送信ステップにおいて、過去に、前記グループの前記グループ識別情報に前記開催済み場所情報が関連付けて記憶されている場合、当該開催済み場所情報に関連付けられた前記クーポンを送信する、請求項３又は４に記載の制御方法。
【請求項６】
前記開催済み場所記憶ステップにおいて、更に、前記開催済み場所情報に関連付けて、変動された前記特典のクーポンが送信された前記グループに所属するユーザを、参加ユーザとして前記記憶部に記憶し、
前記送信ステップにおいて、前記グループに所属するユーザが、過去に、参加ユーザとして前記開催済み場所情報に関連付けて記憶されている場合、直近に前記開催済み場所情報が記憶された際に前記参加ユーザとして記憶されたユーザが所有する携帯端末に、前記クーポンを送信する、請求項５に記載の制御方法。
【請求項７】
前記開催済み場所記憶ステップにおいて、前記グループ識別情報に、開催済み場所情報を記憶した回数を関連付けて前記記憶部に記憶する回数記憶ステップを更に有し、
前記変動ステップにおいて、前記グループ識別情報に関連付けられた前記回数又は所定期間あたりの前記回数が少ないほど、前記特典の価値が高くなるように変動させる、請求項５又は６に記載の制御方法。
【請求項８】
前記管理サーバは、前記ユーザの指示に従って、当該ユーザが所属するグループを示す前記グループ識別情報に関連付けられたイベントに関連付けられた他のグループのグループ識別情報を取得する合同グループ取得ステップを更に有し、
前記変動ステップにおいて、取得された前記他のグループのグループ識別情報のうち、当該開催場所に位置した携帯端末を所有するユーザのグループのグループ識別情報の数が多いほど、前記特典の価値が高くなるように変動させる、請求項４〜７のいずれか一項に記載の制御方法。
【請求項９】
前記滞在情報は、前記開催場所に設置された無線端末装置から前記携帯端末に送信された開催場所識別情報を含む、請求項２〜８のいずれか一項に記載の制御方法。
【請求項１０】
前記滞在情報は、前記開催場所に設置された２次元バーコードから前記携帯端末が取得した開催場所識別情報を含む、請求項２〜８のいずれか一項に記載の制御方法。
【請求項１１】
前記滞在情報は、前記携帯端末が備える位置特定部によって特定された当該携帯端末の位置情報及び位置時刻情報を含む、請求項２〜８のいずれか一項に記載の制御方法。
【請求項１２】
前記変動ステップにおいて、前記比率が高いほど前記特典の価値が高くなるように変動させる、請求項１〜１１のいずれか一項に記載の制御方法。
【請求項１３】
前記特典の価値には、上限が設定されており、
前記変動ステップにおいて、前記グループに所属するユーザの所属人数が多いほど前記価値の上限を高く変更する、請求項１〜１２のいずれか一項に記載の制御方法。
【請求項１４】
前記グループ取得ステップにおいて、前記グループ識別情報に関連付けられた、前記グループのグループ属性を更に取得し、
前記変動ステップにおいて、前記グループ識別情報に関連付けられたグループ属性に基づいて、前記特典を変動させる、請求項１〜１３のいずれか一項に記載の制御方法。
【請求項１５】
前記グループは、外部サーバによって実行されるアプリケーションにおいて用いられるグループである、請求項１〜１４のいずれか一項に記載の制御方法。
【請求項１６】
前記送信ステップにおいて、前記クーポンを、前記グループに所属する前記複数のユーザのそれぞれが所有する携帯端末に送信する、請求項１〜１５のいずれか一項に記載の制御方法。
【請求項１７】
記憶部を備える管理サーバであって、
グループを識別するためのグループ識別情報に関連付けられた、前記グループに所属する複数のユーザのそれぞれを識別するためのユーザ識別情報を取得するグループ取得部と、
特典を付与するためのクーポンを前記グループに送信するサーバ送信部と、
前記クーポンが送信された前記グループに所属するユーザのうち、特定期間中に所定の場所に位置した携帯端末を所有するユーザの比率を算出する算出部と、
前記比率に基づいて、前記所定の場所に位置した携帯端末を所有するユーザのグループに送信された前記クーポンによって付与される特典を変動させる変動部と、
を備えることを特徴とする管理サーバ。
【請求項１８】
記憶部を備える管理サーバのプログラムであって、前記管理サーバに、
グループを識別するためのグループ識別情報に関連付けられた、前記グループに所属する複数のユーザのそれぞれを識別するためのユーザ識別情報を取得するグループ取得ステップと、
特典を付与するためのクーポンを前記グループに送信する送信ステップと、
前記クーポンが送信された前記グループに所属するユーザのうち、特定期間中に所定の場所に位置した携帯端末を所有するユーザの比率を算出する算出ステップと、
前記比率に基づいて、前記所定の場所に位置した携帯端末を所有するユーザのグループに送信された前記クーポンによって付与される特典を変動させる変動ステップと、
を実行させることを特徴とするプログラム。
【請求項１９】
記憶部を備える管理サーバ、及び、前記管理サーバと通信する携帯端末によって構成される管理システムであって、
前記管理サーバは、
グループを識別するためのグループ識別情報に関連付けられた、前記グループに所属する複数のユーザのそれぞれを識別するためのユーザ識別情報を取得するグループ取得部と、
特典を付与するためのクーポンを前記グループに送信するサーバ送信部と、を備え、
前記携帯端末は、
前記携帯端末を所有するユーザが前記管理サーバから前記クーポンを送信されたグループに所属する場合、前記グループに送信された前記クーポンを表示するための表示部と、
前記携帯端末が所定の場所に位置したか否かを判定する滞在判定部と、
前記携帯端末が前記所定の場所に位置した場合、前記所定の場所に位置したことを示す滞在情報を前記管理サーバに送信する端末送信部と、を備え、
前記管理サーバは、
前記クーポンが送信された前記グループに所属するユーザが所有する携帯端末から、前記滞在情報を取得する取得部と、
前記滞在情報に基づいて、前記クーポンが送信された前記グループに所属するユーザのうち、前記所定の場所に位置した携帯端末を所有するユーザの比率を算出する算出部と、
前記比率に基づいて、前記所定の場所に位置した携帯端末を所有するユーザのグループに送信された前記クーポンによって付与される特典を変動させる変動部と、を備える、
ことを特徴とする管理システム。
【発明の詳細な説明】
【技術分野】
【０００１】
本発明は、制御方法、管理サーバ、プログラム及び管理システムに関する。
【背景技術】
【０００２】
近年、飲食店、催事場及び宿泊施設等を利用する顧客の携帯端末に対し、利用料金に対する割引若しくは特定の商品の提供等を示すクーポン情報、又は、特定のサービスと交換可能なポイント情報等を付与するシステムが知られている。顧客は、クーポン情報及びポイント情報等の特典を取得するため、携帯端末を操作して、当該特典を提供するインターネットのウェブサイトにアクセスする。そして、顧客は、アクセスしたウェブサイトから取得した特典の情報を、携帯端末に保持し、又は、紙媒体に出力することにより、当該特典を利用することができる。
【０００３】
例えば、特許文献１には、複数人で特定のレストランに来店した各顧客に来店ポイントを付与する特典付与システムが記載されている。このシステムでは、特定のレストランに来店した顧客グループに含まれる顧客人数が登録され、登録された人数の範囲内において、当該顧客グループに含まれる各顧客が有する端末のそれぞれに対して、来店ポイントが付与される。
【先行技術文献】
【特許文献】
【０００４】
【特許文献１】特開２０１５−２２３９９号公報
【発明の概要】
【発明が解決しようとする課題】
【０００５】
しかしながら、特許文献１に記載された特典付与システムは、グループの顧客が実際に来店した場合にのみ、各顧客に対して特典が付与されるものであり、来店する予定のないグループの顧客に対して、来店時の特典を事前に提示するものではなかった。そのため、この特典付与システムでは、グループで食事会等のイベントを開催しようとする意欲を十分に向上させることができなかった。
【０００６】
本発明は、このような従来の課題を解決すべくなされたものであり、グループに所属する各顧客に対し、グループでイベントを開催しようとする意欲を向上させることが可能となる制御方法、管理サーバ、プログラム及び管理システムを提供することを目的とする。
【課題を解決するための手段】
【０００７】
本発明に係る制御方法は、記憶部を備える管理サーバの制御方法であって、管理サーバは、イベントに用いられる開催場所を示す開催場所情報を取得する開催場所取得ステップと、グループを識別するためのグループ識別情報に関連付けられた、グループに所属する複数のユーザのそれぞれを識別するためのユーザ識別情報を取得するグループ取得ステップと、特典を付与するためのクーポンをグループに送信する送信ステップと、クーポンが送信されたグループに所属するユーザが所有する携帯端末が開催場所情報によって示される開催場所に位置したことを示す滞在情報を携帯端末から取得する取得ステップと、滞在情報に基づいて、クーポンが送信されたグループに所属するユーザのうち、特定期間中に開催場所に位置した携帯端末を所有するユーザの人数又は比率を算出する算出ステップと、人数又は比率に基づいて、開催場所に位置した携帯端末を所有するユーザのグループに送信されたクーポンによって付与される特典を変動させる変動ステップと、を有する。
【０００８】
また、本発明に係る制御方法において、グループに送信されるクーポンには、開催場所情報が関連付けられており、滞在情報によって示される携帯端末が位置した開催場所を示す開催場所情報は、携帯端末を所有するユーザのグループに送信されたクーポンに関連付けられた開催場所情報であることが好ましい。
【０００９】
また、本発明に係る制御方法において、グループ取得ステップにおいて、グループ識別情報に関連付けられた、グループによって開催されるイベントの開催期間及び開催場所情報を取得し、グループに送信されるクーポンには、当該グループのグループ識別情報に関連付けられた開催場所情報が関連付けられており、特定期間は、クーポンが送信されたグループのグループ識別情報に関連付けられた開催期間であることが好ましい。
【００１０】
また、本発明に係る制御方法において、管理サーバは、特定期間が終了すると、変動された特典のクーポンが送信されたグループのグループ識別情報に関連付けて、当該グループに所属するユーザが所有する携帯端末が位置した開催場所を示す開催場所情報を、開催済み場所情報として記憶部に記憶する開催済み場所記憶ステップを更に有し、送信ステップにおいて、過去に、グループのグループ識別情報に開催済み場所情報が関連付けて記憶されている場合、当該開催済み場所情報に関連付けられたクーポンを送信することが好ましい。
【００１１】
また、本発明に係る制御方法において、開催済み場所記憶ステップにおいて、更に、開催済み場所情報に関連付けて、変動された特典のクーポンが送信されたグループに所属するユーザを、参加ユーザとして記憶部に記憶し、送信ステップにおいて、グループに所属するユーザが、過去に、参加ユーザとして開催済み場所情報に関連付けて記憶されている場合、直近に開催済み場所情報が記憶された際に参加ユーザとして記憶されたユーザが所有する携帯端末に、クーポンを送信することが好ましい。
【００１２】
また、本発明に係る制御方法において、開催済み場所記憶ステップにおいて、グループ識別情報に、開催済み場所情報を記憶した回数を関連付けて記憶部に記憶する回数記憶ステップを更に有し、変動ステップにおいて、グループ識別情報に関連付けられた回数又は所定期間あたりの回数が少ないほど、特典の価値が高くなるように変動させることが好ましい。
【００１３】
また、本発明に係る制御方法において、管理サーバは、ユーザの指示に従って、当該ユーザが所属するグループを示すグループ識別情報に関連付けられた、他のグループのグループ識別情報を取得する合同グループ取得ステップを更に有し、変動ステップにおいて、開催場所に位置した携帯端末を所有するユーザのグループのグループ識別情報に関連付けられた他のグループのグループ識別情報のうち、当該開催場所に位置した携帯端末を所有するユーザのグループのグループ識別情報の数が多いほど、特典の価値が高くなるように変動させることが好ましい。
【００１４】
また、本発明に係る制御方法において、変動ステップにおいて、人数が多いほど、又は、比率が高いほど、特典の価値が高くなるように変動させることが好ましい。
【００１５】
また、本発明に係る制御方法において、特典の価値には、上限が設定されており、変動ステップにおいて、グループに所属するユーザの所属人数が多いほど価値の上限を高く変更することが好ましい。
【００１６】
また、本発明に係る制御方法において、グループ取得ステップにおいて、グループ識別情報に関連付けられた、グループのグループ属性を更に取得し、変動ステップにおいて、グループ識別情報に関連付けられたグループ属性に基づいて、特典を変動させることが好ましい。
【００１７】
また、本発明に係る制御方法において、グループは、外部サーバによって実行されるアプリケーションにおいて用いられるグループであることが好ましい。
【００１８】
また、本発明に係る制御方法において、滞在情報は、開催場所に設置された無線端末装置から携帯端末に送信された開催場所識別情報を含むことが好ましい。
【００１９】
また、本発明に係る制御方法において、滞在情報は、開催場所に設置された２次元バーコードから携帯端末が取得した開催場所識別情報を含むことが好ましい。
【００２０】
また、本発明に係る制御方法において、滞在情報は、携帯端末が備える位置特定部によって特定された当該携帯端末の位置情報及び位置時刻情報を含むことが好ましい。
【００２１】
また、本発明に係る制御方法において、送信ステップにおいて、クーポンを、グループに所属する複数のユーザのそれぞれが所有する携帯端末に送信することが好ましい。
【００２２】
本発明に係る管理サーバは、記憶部を備える管理サーバであって、イベントに用いられる開催場所を示す開催場所情報を取得する開催場所取得部と、グループを識別するためのグループ識別情報に関連付けられた、グループに所属する複数のユーザのそれぞれを識別するためのユーザ識別情報を取得するグループ取得部と、特典を付与するためのクーポンを前記グループに送信するサーバ送信部と、クーポンが送信されたグループに所属するユーザが所有する携帯端末が開催場所情報によって示される開催場所に位置したことを示す滞在情報を携帯端末から取得する取得部と、滞在情報に基づいて、クーポンが送信された前記グループに所属するユーザのうち、特定期間中に開催場所に位置した携帯端末を所有するユーザの人数又は比率を算出する算出部と、人数又は比率に基づいて、開催場所に位置した携帯端末を所有するユーザのグループに送信されたクーポンによって付与される特典を変動させる変動部と、を備える。
【００２３】
本発明に係るプログラムは、記憶部を備える管理サーバのプログラムであって、管理サーバに、イベントに用いられる開催場所を示す開催場所情報を取得する開催場所取得ステップと、グループを識別するためのグループ識別情報に関連付けられた、グループに所属する複数のユーザのそれぞれを識別するためのユーザ識別情報を取得するグループ取得ステップと、特典を付与するためのクーポンを前記グループに送信する送信ステップと、クーポンが送信されたグループに所属するユーザが所有する携帯端末が開催場所情報によって示される開催場所に位置したことを示す滞在情報を携帯端末から取得する取得ステップと、滞在情報に基づいて、クーポンが送信されたグループに所属するユーザのうち、特定期間中に開催場所に位置した携帯端末を所有するユーザの人数又は比率を算出する算出ステップと、人数又は比率に基づいて、開催場所に位置した携帯端末を所有するユーザのグループに送信されたクーポンによって付与される特典を変動させる変動ステップと、を実行させる。
【００２４】
本発明に係る管理システムは、記憶部を備える管理サーバ、及び、管理サーバと通信する携帯端末によって構成される管理システムであって、管理サーバは、イベントに用いられる開催場所を示す開催場所情報を取得する開催場所取得部と、グループを識別するためのグループ識別情報に関連付けられた、グループに所属する複数のユーザのそれぞれを識別するためのユーザ識別情報を取得するグループ取得部と、特典を付与するためのクーポンを前記グループに送信するサーバ送信部と、を備え、携帯端末は、携帯端末を所有するユーザが管理サーバからクーポンを送信されたグループに所属する場合、前記グループに送信されたクーポンを表示するための表示部と、携帯端末が開催場所情報によって示される開催場所に位置したか否かを判定する滞在判定部と、携帯端末が開催場所に位置した場合、携帯端末が開催場所情報によって示される開催場所に位置したことを示す滞在情報を管理サーバに送信する端末送信部と、を備え、管理サーバは、クーポンが送信されたグループに所属するユーザが所有する携帯端末から、滞在情報を取得する取得部と、滞在情報に基づいて、クーポンが送信されたグループに所属するユーザのうち、特定期間中に開催場所に位置した携帯端末を所有するユーザの人数又は比率を算出する算出部と、人数又は比率に基づいて、開催場所に位置した携帯端末を所有するユーザのグループに送信されたクーポンによって付与される特典を変動させる変動部と、を備える。
【発明の効果】
【００２５】
本発明に係る制御方法、管理サーバ、プログラム及び管理システムは、グループに所属する各顧客に対し、グループでイベントを開催しようとする意欲を向上させることを可能とする。
【図面の簡単な説明】
【００２６】
【図１】管理システム１の概略を説明するための模式図である。
【図２】管理システム１の概略構成の一例を示す図である。
【図３】携帯端末２の概略構成の一例を示す図である。
【図４】（ａ）は、グループ登録画面４００の一例を示す図であり、（ｂ）は、事前特典画面４１０の一例を示す図である。
【図５】（ａ）及び（ｂ）は、携帯端末２の滞在判定機能を説明するための模式図である。
【図６】（ａ）は、通知画面６００の一例を示す図であり、（ｂ）は、特典画面６１０の一例を示す図である。
【図７】管理サーバ３の概略構成の一例を示す図である。
【図８】各種テーブルのデータ構造の一例を示す図である。
【図９】各種テーブルのデータ構造の一例を示す図である。
【図１０】管理システム１に係る動作シーケンスの一例を示す図である。
【図１１】管理システム１に係る動作シーケンスの一例を示す図である。
【図１２】算出処理の一例を示すフローチャートである。
【図１３】変動処理の一例を示すフローチャートである。
【発明を実施するための形態】
【００２７】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００２８】
（管理システム１の概要）
管理システム１は、イベントに参加するユーザが所有する携帯端末２と、イベントに関する特典を携帯端末２に付与する管理サーバ３とを有する。イベントは、複数のユーザによって開催される食事会、誕生会及び花見会等の催し物、並びに、特定の主催者によって開催され且つ複数のユーザが観戦又は観覧するスポーツ大会、コンサート及び展示会等の催し物である。
【００２９】
特典は、イベントに参加するユーザの携帯端末２に付与され且つイベントで利用可能な電子データであり、例えば、携帯端末２によって表示され得る特典画面表示データである。特典は、イベントに参加するために必要な費用の全部若しくは一部の支払いの免除を示す情報、又は、イベントにおいて販売され若しくは配布される物品と交換可能な情報等を含む。例えば、食事会等のイベントにおいて飲食店が利用される場合、費用の支払いの免除を示す情報は、飲食料金の割引を示す割引情報等であり、物品と交換可能な情報は、ユーザ一人につき一杯の飲料と交換可能な交換情報等である。なお、特典は、ユーザがイベントに参加するたびに蓄積可能なポイント情報でもよく、この場合、所定のポイント量以上のポイント情報が蓄積されると、上述の費用の支払いの免除又は物品の交換が可能となる。以降、図１を用いて、管理システム１の概略を説明する。
【００３０】
図１は、管理システム１の概略を説明するための模式図である。
【００３１】
（１）イベントに用いられる開催場所の記憶
まず、管理サーバ３の管理者等によって、食事会等のイベントに用いられる開催場所を示す開催場所情報が管理サーバ３に記憶される。開催場所は、飲食店、ホテル又はイベント会場等である。開催場所情報は、開催場所を識別するための開催場所識別情報、又は、開催場所の地理的位置情報（緯度、経度等）等である。開催場所識別情報は、開催場所を一意に識別するための情報であり、例えば、開催場所ＩＤである。
【００３２】
（２）グループの登録
次に、携帯端末２ａ、２ｂ、２ｃ及び２ｄを所有するユーザＡ、Ｂ、Ｃ及びＤは、携帯端末２ａ〜２ｄのいずれかを用いて、ユーザＡ〜Ｄを含むグループＸを登録する。以降、携帯端末２ａ、２ｂ、２ｃ及び２ｄを、単に携帯端末２と称する場合がある。
【００３３】
グループの登録では、管理サーバ３は、携帯端末２の指示に従って、グループＸを識別するためのグループ識別情報に、グループに所属する複数のユーザのそれぞれを識別するためのユーザ識別情報を関連付けて記憶する。グループ識別情報は、グループを一意に識別するための情報であり、例えば、グループＩＤ（Identification）である。また、ユーザ識別情報は、各携帯端末２を所有するユーザを一意に識別するための情報であり、例えば、ユーザＩＤ又は端末ＩＤ等である。なお、端末ＩＤは、当該携帯端末２を識別するための識別情報である。
【００３４】
（３）クーポンの付与
次に、管理サーバ３は、各グループに対してクーポンを付与する。なお、クーポンは、イベントに参加するユーザの携帯端末２に付与され且つ特典を得るための電子データであり、例えば、携帯端末２によって表示され得る事前特典画面表示データである。クーポンの付与では、管理サーバ３は、グループ識別情報を特定し、特定されたグループ識別情報によって識別されるグループにクーポンを送信する。すなわち、管理サーバ３は、特定されたグループ識別情報に関連付けられた複数のユーザ識別情報を抽出し、抽出された各ユーザ識別情報により識別される各ユーザが所有する携帯端末２に、同一のクーポン（飲食店で利用できる割引クーポン等）を送信する。
【００３５】
（４）各ユーザの滞在判定
次に、クーポンが付与されたグループに所属するユーザが所有する携帯端末２は、管理サーバ３に記憶された何れかの開催場所情報によって示される開催場所に、当該携帯端末２が位置したか否かを判定する。例えば、飲食店の入り口付近には、当該飲食店の開催場所識別情報（開催場所ＩＤ等）を含む信号を送信する無線端末装置が設置される。携帯端末２は、当該携帯端末２を所有するユーザの移動に伴い、無線端末装置からの電波が届く範囲内に到達すると、無線端末装置から開催場所識別情報を含む信号を受信することにより開催場所識別情報を取得し、当該携帯端末２が開催場所に位置したと判定する。これにより、管理システム１は、ユーザが開催場所に滞在したことを自動的に判定することが可能となる。なお、滞在判定は、無線端末装置が発信する電波に基づく判定に限らない。例えば、携帯端末２が備える撮影部（図示せず）が、飲食店等の開催場所に設置された、開催場所識別情報に基づいて作成されたＱＲ（Quick Response）コード（「ＱＲコード」は登録商標である。）等の２次元コードを読み取り、携帯端末２が備える端末処理部２６が、読み取った２次元コードに基づいて開催場所識別情報を取得し、当該携帯端末２が開催場所に位置したと判定してもよい。
【００３６】
（５）滞在情報の送信
次に、携帯端末２は、当該携帯端末２が開催場所情報によって示される開催場所に位置したと判定した場合、携帯端末２が開催場所に位置したことを示す滞在情報を管理サーバ３に送信する。すなわち、携帯端末２は、開催場所情報（開催場所識別情報等）を取得すると、取得した開催場所情報と当該携帯端末２を所有するユーザのユーザ識別情報（ユーザＩＤ又は端末ＩＤ等）とを含む滞在情報を生成し、生成した滞在情報を管理サーバ３に送信する。そして、管理サーバ３は、各携帯端末２から滞在情報を受信することによって、滞在情報を取得する。
【００３７】
（６）参加人数又は参加比率の算出
次に、管理サーバ３は、携帯端末２から滞在情報を取得すると、滞在情報に基づいて、クーポンが送信されたグループに所属するユーザのうち、特定期間中に開催場所に位置した携帯端末２を所有するユーザの参加人数又は参加比率を算出する。以下、参加人数又は参加比率の算出の概要について説明する。
【００３８】
まず、管理サーバ３は、取得した滞在情報に含まれるユーザ識別情報に関連付けられたグループ識別情報を特定する。次に、管理サーバ３は、特定されたグループ識別情報に関連付けられた各ユーザのうち、特定期間中に、同一の開催場所情報を含む滞在情報を送信した携帯端末２を有するユーザを、参加ユーザとして特定する。なお、特定されたグループ識別情報に関連付けられた各ユーザには、同一のクーポンが送信されている。また、特定期間は、グループに所属するユーザの携帯端末２から、管理サーバ３が受信した滞在情報のうち、最初に受信した滞在情報の受信時刻から所定時間（例えば、２時間以内）等である。次に、管理サーバ３は、参加ユーザの人数を参加人数として算出する。そして、管理サーバ３は、グループ識別情報に関連付けられたユーザ識別情報の数（グループに所属するユーザの所属人数）に対する、算出された参加人数の比率を参加比率として算出する。以上により、参加人数又は参加比率の算出は終了する。
【００３９】
（７）特典の変動
最後に、管理サーバ３は、算出された参加人数又は参加比率に基づいて、参加ユーザが所属するグループに送信されたクーポンによって付与される特典を変動させる。例えば、管理サーバ３は、参加ユーザが所有する携帯端末２に送信されたクーポンが割引クーポンである場合、参加比率が８０％以上であれば、当該割引クーポンによって参加ユーザに付与される特典を、２０％の割引率の特典に決定する。また、管理サーバ３は、参加比率が３０％以上８０％未満であれば、割引クーポンによって参加ユーザに付与される特典を、１０％の割引率の特典に決定する。また、管理サーバ３は、参加比率が３０％未満であれば、割引クーポンによって参加ユーザに付与される特典を、５％の割引率の特典に決定する。なお、管理サーバ３は、参加ユーザが所属するグループに付与される特典の価値を、参加人数が多いほど高くなるように変動させてもよい。このように、管理システム１は、参加ユーザが所属するグループに付与される特典の価値を、参加人数が多いほど又は参加比率が高いほど、高くなるように変動させることで、グループに所属する各ユーザのイベント参加意欲を向上させることを可能とする。
【００４０】
上述のとおり、管理システム１は、グループに所属するユーザに対して、参加人数又は参加比率に応じて変動する特典を付与することができるため、グループに所属するユーザのイベント開催意欲及びイベント参加意欲を向上させることが可能となる。
【００４１】
なお、上述した図１の説明は、本発明の内容への理解を深めるための説明にすぎない。本発明は、具体的には、次に説明する各実施形態において実施され、且つ、本発明の原則を実質的に超えずに、さまざまな変形例によって実施されてもよい。このような変形例はすべて、本発明および本明細書の開示範囲に含まれる。
【００４２】
（管理システム１の概略構成）
図２は、管理システム１の概略構成の一例を示す図である。
【００４３】
管理システム１は、複数のユーザのそれぞれが所有する複数の携帯端末２（２ａ、２ｂ、２ｃ、２ｄ、・・・）と、管理サーバ３とを有する。携帯端末２と管理サーバ３とは、例えば、基地局４、移動体通信網５、ゲートウェイ６及びインターネット７等の通信ネットワークを介して相互に接続される。携帯端末２で実行されるプログラム（例えば、閲覧プログラム）と、管理サーバ３で実行されるプログラム（例えば、特典管理プログラム）とは、ハイパーテキスト転送プロトコル（Hypertext Transfer Protocol, HTTP）等の通信プロトコルを用いて通信を行う。
【００４４】
（携帯端末２の概略構成）
図３は、携帯端末２の概略構成の一例を示す図である。
【００４５】
携帯端末２は、無線通信ネットワークへの接続、携帯端末２の滞在判定、所定のアプリケーションプログラムの実行等を可能とする。そのために、携帯端末２は、第１無線通信部２１と、第２無線通信部２２と、端末記憶部２３と、操作部２４と、表示部２５と、端末処理部２６とを備える。
【００４６】
なお、携帯端末２としては多機能携帯電話（所謂「スマートフォン」）を想定するが、本発明はこれに限定されない。携帯端末２は、本発明が適用可能であればよく、例えば、携帯電話（所謂「フィーチャーフォン」）、携帯情報端末（Personal Digital Assistant, PDA）、携帯ゲーム機、携帯音楽プレイヤ、タブレット端末、タブレットＰＣ、ノートＰＣ等でもよい。
【００４７】
第１無線通信部２１は、所定の周波数帯を感受帯域とするアンテナを含む、通信インターフェース回路を有し、携帯端末２を通信ネットワーク（図２）に接続する。第１無線通信部２１は、基地局４（図２）により割り当てられるチャネルを介して、基地局４との間でＣＤＭＡ（Code Division Multiple Access）方式等による無線信号回線を確立し、基地局４との間で通信を行う。なお、基地局４との間の通信方式は、ＣＤＭＡ方式に限定されず、Ｗ−ＣＤＭＡ（Wideband Code Division Multiple Access）方式、ＬＴＥ（Long Term Evolution）方式等の他の通信方式でもよい。また、基地局４との間の通信方式は、ＰＨＳ（Personal Handy-phone System）等の他の通信方式でもよい。そして、第１無線通信部２１は、基地局４から受信したデータを端末処理部２６に供給する。また、第１無線通信部２１は、端末処理部２６から供給されたデータを基地局４に送信する。
【００４８】
第２無線通信部２２は、Bluetooth（登録商標）等の通信方式に従った近距離無線通信を行うためのインターフェース回路を有し、無線端末装置（図示せず）との間で端末間無線通信を確立させて、直接無線通信を行う。なお、第２無線通信部２２が有するインターフェース回路は、近距離無線通信を行うためのものに限定されない。例えば、第２無線通信部２２は、各種情報を含む音波を受信するための音波受信回路を有してもよい。第２無線通信部２２は、無線端末装置から受信したデータを端末処理部２６に供給する。
【００４９】
端末記憶部２３は、例えば、半導体メモリを有する。端末記憶部２３は、端末処理部２６での処理に用いられるドライバプログラム、オペレーティングシステムプログラム、アプリケーションプログラム、データ等を記憶する。例えば、端末記憶部２３は、ドライバプログラムとして、第１無線通信部２１を制御する通信デバイスドライバプログラム、第２無線通信部２２を制御する近距離無線通信デバイスドライバプログラム、操作部２４を制御する入力デバイスドライバプログラム、表示部２５を制御する出力デバイスドライバプログラム等を記憶する。また、端末記憶部２３は、オペレーティングシステムプログラムとして、ＩＥＥＥ８０２．１１規格の無線通信方式を実行する接続制御プログラム、携帯電話の接続制御プログラム等を記憶する。また、端末記憶部２３は、アプリケーションプログラムとして、ウェブページの取得及び表示を行うウェブブラウザプログラム、電子メールの送信及び受信を行う電子メールプログラム等を記憶する。コンピュータプログラムは、例えばＣＤ−ＲＯＭ（compact disk read only memory）、ＤＶＤ−ＲＯＭ（digital versatile disk read only memory）等のコンピュータ読み取り可能な可搬型記録媒体から、公知のセットアッププログラム等を用いて端末記憶部２３にインストールされてもよい。
【００５０】
操作部２４は、携帯端末２の操作が可能であればどのようなデバイスでもよく、例えば、タッチパネル式の入力装置、キーパッド等である。ユーザは、このデバイスを用いて、文字、数字等を入力することができる。操作部２４は、ユーザにより操作されると、その操作に対応する信号を発生する。発生した信号は、ユーザの指示として、端末処理部２６に入力される。
【００５１】
表示部２５は、動画像、静止画像等の出力が可能であればどのようなデバイスでもよく、例えば、タッチパネル式の表示装置、液晶ディスプレイ、有機ＥＬ（Electro−Luminescence）ディスプレイ等である。表示部２５は、端末処理部２６から供給される動画像データに応じた動画像、静止画像データに応じた静止画像等を表示する。
【００５２】
端末処理部２６は、一又は複数個のプロセッサ及びその周辺回路を有する。端末処理部２６は、携帯端末２の全体的な動作を統括的に制御するものであり、例えば、ＣＰＵ（Central Processing Unit）である。端末処理部２６は、携帯端末２の各種処理が端末記憶部２３に記憶されているプログラム及び操作部２４の操作からの出力等に応じて適切な手順で実行されるように、第１無線通信部２１、第２無線通信部２２、表示部２５等の動作を制御する。端末処理部２６は、端末記憶部２３に記憶されているプログラム（ドライバプログラム、オペレーティングシステムプログラム、アプリケーションプログラム等）に基づいて処理を実行する。また、端末処理部２６は、複数のプログラム（アプリケーションプログラム等）を並列に実行することができる。
【００５３】
端末処理部２６は、閲覧実行部２６１と、滞在判定部２６２と、端末送信部２６３とを有する。端末処理部２６が有するこれらの各部は、端末処理部２６が有するプロセッサ上で実行されるプログラムによって実装される機能モジュールである。あるいは、端末処理部２６が有するこれらの各部は、独立した集積回路、マイクロプロセッサ、又はファームウェアとして携帯端末２に実装されてもよい。
【００５４】
（携帯端末２の機能）
図４（ａ）及び（ｂ）並びに図６（ａ）及び（ｂ）は、携帯端末２の表示機能によって表示される各表示画面の一例を示す図である。図５（ａ）及び（ｂ）は、携帯端末２の滞在判定機能を説明するための模式図である。
【００５５】
図４（ａ）は、携帯端末２に表示されるグループ登録画面４００の一例を示す図である。グループ登録画面４００は、ユーザが、イベントに参加する予定のグループを、新たに作成又は修正するための画面である。グループ登録画面４００には、グループ名称ボックス４０１、ユーザ名称４０２、グループ登録マーク４０３及びグループ登録ボタン４０４等が表示されている。
【００５６】
グループ名称ボックス４０１には、ユーザがテキスト入力操作によってグループの名称が入力される。ユーザ名称４０２には、携帯端末２を所有するユーザと所定関係にある他のユーザの名称が選択可能に表示される。なお、ユーザ名称４０２は、管理サーバ３に記憶されたユーザの名称である。
【００５７】
グループ登録マーク４０３は、ユーザのタップ操作等の選択操作によって当該ユーザ名称４０２が選択されたことを示すマークである。グループ登録ボタン４０４は、当該携帯端末２を所有するユーザ及びグループ登録マーク４０３が表示されたユーザ名称４０２に示されるユーザと、グループ名称ボックス４０１に入力された名称によって示されるグループとを関連付けて登録するためのボタンである。
【００５８】
図４（ｂ）は、携帯端末２に表示される事前特典画面４１０の一例を示す図である。事前特典画面４１０は、グループに対し、特典を付与するためのクーポンを示す画面である。事前特典画面４１０には、事前特典表示４１１及び付与対象グループ４１２等が表示される。
【００５９】
事前特典表示４１１は、グループに対して付与される特典の内容を事前に示す情報であり、クーポンの一例である。付与対象グループ４１２には、事前特典表示４１１に示される特典が付与されるグループの名称が表示される。事前特典表示４１１が、付与対象グループ４１２に表示されたグループに所属する各ユーザの携帯端末２に表示されることにより、各ユーザは、当該グループで飲食店等に行くことによって表示された特典を得られることを容易に理解することができる。
【００６０】
図５（ａ）及び（ｂ）は、携帯端末２の滞在判定機能を説明するための模式図である。以下、グループＸが、食事会Ｙというイベントを、開始時刻４月１日１９時０分〜終了時刻４月１日２１時０分にレストランＺにおいて開催する場合を例にして説明する。
【００６１】
図５（ａ）は、食事会Ｙの開催前又は開催中に、グループＸに所属するユーザＣが所有する携帯端末２ｃが、食事会Ｙが開催されるレストランＺ（開催場所）に位置した状況を説明するための模式図である。
【００６２】
レストランＺの入り口付近には、レストランＺの開催場所識別情報（開催場所ＩＤ等）を含む信号を送信する無線端末装置８が設置される。無線端末装置８は、所定の近距離無線通信によって開催場所識別情報を含む信号をブロードキャスト送信する。
【００６３】
無線端末装置８は、当該無線端末装置８からの電波が届く範囲内にレストランＺの入り口が包含されるように設置される。そのため、ユーザがレストランＺに入店する場合、ユーザが所有する携帯端末２は無線端末装置８からの電波が届く範囲に必ず位置することになる。したがって、ユーザが入店する場合、ユーザが所有する携帯端末２は、無線端末装置８から開催場所識別情報を含む信号を受信して開催場所識別情報を取得する。
【００６４】
図５（ｂ）は、開催場所識別情報を取得した携帯端末２と管理サーバ３との相互通信を説明するための模式図である。
【００６５】
無線端末装置８は、Bluetooth（登録商標）等の通信方式に従った近距離無線通信を行い、開催場所識別情報を含む信号をブロードキャスト送信する（１）。携帯端末２は、無線端末装置８からの電波が届く範囲内に到達した場合、無線端末装置８から開催場所識別情報を含む信号を受信する。次に、携帯端末２は、当該携帯端末２がイベントの開催場所に位置したと判定し、受信された開催場所識別情報と当該携帯端末２を所有するユーザＩＤとを含む滞在情報を生成し、生成された滞在情報を管理サーバ３に送信する（２）。管理サーバ３は、携帯端末２から滞在情報を受信すると、後述する算出処理及び変動処理を実行し、滞在情報を送信した携帯端末２に、通知画面表示データ及び特典画面表示データを送信する（３）。なお、特典画面表示データを受信した携帯端末２を所有するユーザは、特典画面表示データに基づいて表示される特典画面によって、特典を利用することができる。
【００６６】
図６（ａ）は、携帯端末２に表示される通知画面６００の一例を示す図である。通知画面６００は、滞在情報を送信した携帯端末２によって表示される画面であり、且つ、サーバから受信した参加状況を示す画面である。通知画面６００には、参加状況の算出結果通知６０１等が表示される。
【００６７】
算出結果通知６０１には、管理サーバ３が携帯端末２から送信された滞在情報を受信して算出処理を実行した算出結果（開催場所に位置した携帯端末２を所有するユーザの参加人数及び／又は参加比率）が表示される。算出結果通知６０１が携帯端末２に表示されることにより、ユーザは、グループに所属する他のユーザの参加状況を確認することが可能となる。
【００６８】
図６（ｂ）は、携帯端末２に表示される特典画面６１０の一例を示す図である。特典画面６１０は、開催場所に位置した携帯端末２を所有するユーザの参加人数及び／又は参加比率に基づいた特典を示す画面である。特典画面６１０には、特典表示６１１等が表示される。
【００６９】
特典表示６１１には、特典の内容を示す情報、特典を利用することができる施設の名称、及び、特典が付与された携帯端末２を所有するユーザが所属するグループの名称が、表示される。なお、特定の主催者によって開催されたイベントに参加した場合、施設の名称に替えて、開催されたイベントの名称が表示される。また、特典表示６１１に、特典の内容を示す情報に基づいて作成されたバーコード又は２次元コード等が表示されてもよい。
【００７０】
（管理サーバ３の概略構成）
図７は、管理サーバ３の概略構成の一例を示す図である。
【００７１】
管理サーバ３は、携帯端末２を所有するユーザからの指示に従ってグループを登録し、グループに所属するユーザが所有する携帯端末２にクーポンを送信する。なお、グループに所属するユーザが所有する携帯端末２にクーポンを送信する処理は、クーポンをグループに送信する処理の一例である。次に、管理サーバ３は、特定期間中、各携帯端末２から滞在情報を受信し、受信した滞在情報に基づいて、開催場所に位置した携帯端末２を所有するユーザの参加人数又は参加比率を算出する。そして、管理サーバ３は、算出された参加人数又は参加比率に基づいて、開催場所に位置した携帯端末２を所有するユーザのグループに送信されたクーポンによって付与される特典を変動させる。以上のような機能を実現するために、管理サーバ３は、サーバ通信部３１と、サーバ記憶部３２と、サーバ処理部３３とを備える。
【００７２】
サーバ通信部３１は、管理サーバ３をインターネット７に接続するための通信インターフェース回路を有する。サーバ通信部３１は、携帯端末２から受信したデータをサーバ処理部３３に供給する。
【００７３】
サーバ記憶部３２は、例えば、半導体メモリ、磁気ディスク装置及び光ディスク装置の内の少なくとも一つを有する。サーバ記憶部３２は、サーバ処理部３３による処理に用いられるドライバプログラム、オペレーティングシステムプログラム、アプリケーションプログラム、データ等を記憶する。例えば、サーバ記憶部３２は、ドライバプログラムとして、サーバ通信部３１を制御する通信デバイスドライバプログラム等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いてサーバ記憶部３２にインストールされてもよい。また、サーバ記憶部３２は、データとして、図８（ａ）に示す開催場所テーブル、図８（ｂ）に示すユーザテーブル、図８（ｃ）に示すグループテーブル、図９（ａ）に示すクーポンテーブル、図９（ｂ）に示すイベントテーブル等を記憶する。
【００７４】
（テーブルのデータ構造）
図８及び９は、各種テーブルのデータ構造の一例を示す図である。なお、サーバ記憶部３２は、以下に説明する各種テーブルを記憶せずに、他の装置（サーバ装置等）が、これらの各種テーブルを記憶してもよい。この場合、管理サーバ３は、これらの各種テーブルに記憶された情報を使用する際に、当該テーブルを記憶する他の装置にアクセスして、当該テーブルに記憶された情報を取得する。
【００７５】
図８（ａ）には、開催場所テーブルが示されている。開催場所テーブルには、各開催場所について、当該開催場所の開催場所ＩＤ、名称、位置情報、住所及び電話番号等が関連付けて記憶されている。位置情報は、開催場所の地理的位置情報（緯度、経度等）である。なお、開催場所ＩＤ及び位置情報は、開催場所情報の一例である。
【００７６】
図８（ｂ）には、ユーザテーブルが示されている。ユーザテーブルには、各ユーザについて、当該ユーザのユーザＩＤ、端末ＩＤ、ユーザ名称、メールアドレス、生年月日及び友達ユーザＩＤ等が関連付けて記憶される。なお、端末ＩＤは、当該ユーザが所有する携帯端末２を識別するための識別情報である。また、友達ユーザＩＤは、当該ユーザと友達の関係にある他のユーザのユーザＩＤである。なお、友達の関係は、所定関係の一例である。
【００７７】
図８（ｃ）には、グループテーブルが示されている。グループテーブルには、各グループについて、当該グループのグループＩＤ、グループ名称及び所属ユーザＩＤ等が関連付けて記憶される。所属ユーザＩＤは、各グループに所属するユーザのユーザＩＤであり、グループ登録画面４００によってグループに登録されたユーザのユーザＩＤである。以降、グループＩＤに関連付けられた所属ユーザＩＤを、グループＩＤの所属ユーザＩＤと称する場合がある。
【００７８】
図９（ａ）には、クーポンテーブルが示されている。クーポンテーブルには、各クーポンについて、当該クーポンのクーポンＩＤ、グループＩＤ、特典及び開催場所ＩＤ等が関連付けて記憶される。グループＩＤは、各クーポンが送付される対象のグループを識別するためのグループＩＤである。すなわち、各クーポンは、当該クーポンに関連付けられた各グループＩＤの所属ユーザＩＤによって識別されるユーザが所有する携帯端末２に送信される。なお、全てのグループにクーポンが送信される場合、当該クーポンに関連付けられたグループＩＤには、全てのグループに付与することを示す情報が記憶される。
【００７９】
特典には、参加人数及び／又は参加比率に応じて付与される特典の内容が記憶されている。開催場所ＩＤは、クーポンによって付与される特典を使用することができる開催場所の開催場所ＩＤである。なお、全ての開催場所で使用できるクーポンが送信される場合、当該クーポンの開催場所ＩＤには、全ての開催場所を示す情報が記憶される。
【００８０】
また、クーポンテーブルは、管理サーバ３の管理者からのクーポン登録指示に従って作成されるが、その他の方法でクーポンテーブルが作成されてもよい。例えば、管理サーバ３の管理者と契約した飲食店等の開催場所のオーナー等からのクーポン登録指示に従って、当該開催場所に関するクーポンに関連付けられた各種情報が登録されるようにしてもよい。
【００８１】
図９（ｂ）には、イベントテーブルが示されている。イベントテーブルには、各イベントについて、当該イベントのイベントＩＤ、イベント名称、クーポンＩＤ、グループＩＤ、期間、開催場所ＩＤ及び参加ユーザＩＤ等が関連付けて記憶される。イベント名称は、特定の主催者によって予め登録された場合のみ記憶されるイベントの名称である。期間には、イベントが開催される特定期間が記憶される。開催場所ＩＤには、イベントの開催場所を識別するための開催場所識別情報が記憶される。
【００８２】
参加ユーザＩＤは、イベントの開催場所に位置した携帯端末２を所有するユーザのユーザＩＤである。すなわち、参加ユーザＩＤは、各イベントにおいて、特定期間中に開催場所に位置したユーザのユーザＩＤであり、且つ、各イベントに関連付けられたグループＩＤの所属ユーザＩＤである。なお、イベントテーブルに記憶された各レコードは、特定期間が終了した日の翌日の午前５時に削除される。
【００８３】
図７に戻り、以下、サーバ処理部３３について説明する。サーバ処理部３３は、一又は複数個のプロセッサ及びその周辺回路を有する。サーバ処理部３３は、管理サーバ３の全体的な動作を統括的に制御するものであり、例えば、ＣＰＵ（Central Processing Unit）である。サーバ処理部３３は、管理サーバ３の各種処理がサーバ記憶部３２に記憶されているプログラム等に応じて適切な手順で実行されるように、サーバ通信部３１等の動作を制御する。サーバ処理部３３は、サーバ記憶部３２に記憶されているプログラム（ドライバプログラム、オペレーティングシステムプログラム、アプリケーションプログラム等）に基づいて処理を実行する。また、サーバ処理部３３は、複数のプログラム（アプリケーションプログラム等）を並列に実行できる。
【００８４】
サーバ処理部３３は、開催場所取得部３３１と、グループ取得部３３２と、サーバ送信部３３３と、取得部３３４と、算出部３３５と、変動部３３６とを有する。サーバ処理部３３が有するこれらの各部は、サーバ処理部３３が有するプロセッサ上で実行されるプログラムによって実装される機能モジュールである。あるいは、サーバ処理部３３が有するこれらの各部は、独立した集積回路、マイクロプロセッサ、又はファームウェアとして管理サーバ３に実装されてもよい。
【００８５】
（管理システム１の動作シーケンス１）
図１０は、管理システム１に係る動作シーケンスの一例を示す図である。
【００８６】
以下に説明する動作シーケンスは、予め端末記憶部２３及びサーバ記憶部３２に記憶されているプログラムに基づいて、主に端末処理部２６及びサーバ処理部３３により、携帯端末２及び管理サーバ３の各要素と協働して実行される。
【００８７】
まず、管理サーバ３の開催場所取得部３３１は、管理サーバ３の管理者、又は、当該管理者と契約した飲食店等のオーナー等からの開催場所登録指示に従って、開催場所の名称、位置情報、住所、電話番号等を取得し、取得した各種データと開催場所ＩＤとを関連付けて開催場所テーブルに記憶する（ステップＳ１０１）。なお、開催場所テーブルが、管理サーバ３以外の他の装置（サーバ装置）に記憶される場合、ステップＳ１０１は実施せずに、開催場所取得部３３１が、開催場所テーブルを使用する際に、開催場所テーブルを記憶する他の装置にアクセスして、開催場所テーブルに記憶された情報を取得してもよい。
【００８８】
次に、携帯端末２のユーザによる操作部２４を用いた操作に従って、閲覧実行部２６１は、グループ登録画面４００のグループ名称ボックス４０１にグループの名称を表示し、ユーザにより選択されたユーザ名称を特定（ユーザ名称４０２の近傍にグループ登録マーク４０３を表示）する（ステップＳ１０２）。以下、グループ登録画面４００で表示されるユーザ名称４０２の取得方法について説明する。まず、閲覧実行部２６１は、グループ登録画面４００の表示をユーザから指示されると、ユーザのユーザＩＤを含むユーザ名称取得指示を管理サーバ３に送信する。管理サーバ３は、ユーザテーブルを参照し、ユーザ名称取得指示に含まれるユーザＩＤと関連付けられた友達ユーザＩＤを特定する。次に、管理サーバ３は、ユーザテーブルを参照し、友達ユーザＩＤのそれぞれに関連付けられたユーザ名称を抽出する。そして、管理サーバ３は、抽出されたそれぞれのユーザ名称を友達ユーザＩＤとともに携帯端末２に送信する。このようにして、携帯端末は、ユーザ名称４０２を取得する。
【００８９】
次に、携帯端末２のユーザによる操作部２４を用いた操作に従って、閲覧実行部２６１によって表示されたグループ登録画面４００のグループ登録ボタン４０４が選択されると、閲覧実行部２６１は、第１無線通信部２１を介してグループ登録指示を管理サーバ３に送信する（ステップＳ１０３）。グループ登録指示には、グループ名称ボックス４０１に入力されたグループの名称、並びに、携帯端末２を所有するユーザのユーザＩＤ及び選択されたユーザ名称に対応するユーザＩＤ等が含まれる。
【００９０】
次に、管理サーバ３のグループ取得部３３２は、サーバ通信部３１を介して携帯端末２から受信したグループ登録指示を取得すると、グループ登録指示に含まれるグループ名称、並びに、グループ登録指示を送信した携帯端末２を所有するユーザのユーザＩＤ及び選択されたユーザ名称に対応するユーザＩＤを、グループテーブルのグループ名称、並びに、所属ユーザＩＤとして取得し、取得した各種情報を新たなグループＩＤと関連付けてグループテーブルに記憶する（ステップＳ１０４）。なお、グループテーブルが、管理サーバ３以外の他の装置（サーバ装置）に記憶される場合、ステップＳ１０４において、取得した情報を他の装置に渡し、他の装置においてグループテーブルに記憶する。この場合、グループ取得部３３２が、グループテーブルを使用する際に、グループテーブルを記憶する他の装置にアクセスして、グループテーブルに記憶された情報を取得する。なお、他のテーブルについても同様に、他の装置が記憶し、サーバ処理部３３が、都度他のテーブルの情報を取得してもよい。
【００９１】
なお、図１０に示す動作シーケンスにおける各ステップは、上述した順番に限られない。例えば、ステップＳ１０１の開催場所取得処理は、開催場所登録指示を受け付けるたびに実行されてもよい。また、ステップＳ１０３〜Ｓ１０４の一連の処理は、携帯端末２のユーザによる操作部２４を用いた操作に従って、グループ登録（ステップＳ１０２）が行われるたびに実行されてもよい。
【００９２】
なお、グループ登録画面４００を用いたグループ登録において、ユーザがイベントを登録できるようにしてもよい。この場合、グループ登録画面４００には、イベント名称、イベントの開催期間及びイベントの開催場所を登録するための各種ボックスが表示される。次に、グループ登録指示に、グループ登録画面４００に入力されたイベント名称、イベントの開催期間及びイベントの開催場所を含ませる。そして、管理サーバ３のグループ取得部３３２は、サーバ通信部３１を介して携帯端末２から受信したグループ登録指示を取得すると、グループ登録指示に含まれるイベント名称、イベントの開催期間（特定期間）及びイベントの開催場所を、携帯端末２を所有するユーザが所属するグループのグループＩＤとともに取得し、取得した各種情報を新たなイベントＩＤと関連付けてイベントテーブルに記憶する。なお、グループ取得部３３２は、開催場所テーブルを参照して、グループ登録指示に含まれるイベントの開催場所に基づいて開催場所ＩＤを取得して、取得した開催場所ＩＤをイベントテーブルに記憶するとともに、クーポンテーブルを参照して、特定した開催場所ＩＤに対応するクーポンＩＤをイベントテーブルに記憶する。
【００９３】
（管理システム１の動作シーケンス２）
図１１は、管理システム１に係る動作シーケンスの一例を示す図である。
【００９４】
以下に説明する動作シーケンスは、予め端末記憶部２３及びサーバ記憶部３２に記憶されているプログラムに基づいて、主に端末処理部２６及びサーバ処理部３３により、特定のイベントに参加するグループに所属する各ユーザの携帯端末２（２ａ、２ｂ、２ｃ、２ｄ、・・・）及び管理サーバ３の各要素と協働して実行される。なお、以下に説明する動作シーケンスでは、食事会等のイベントにおいて飲食店が利用され、且つ、飲食店の入り口に開催場所情報（開催場所識別情報等）を含む信号を送信する無線端末装置が設置される場合を例に説明する。
【００９５】
まず、管理サーバ３のサーバ送信部３３３は、クーポンテーブル及びグループテーブルを参照して、各クーポンを示す事前特典画面４１０を表示するための事前特典画面表示データを、各クーポンＩＤに関連付けられたグループＩＤの所属ユーザＩＤに対応付けて作成する（ステップＳ２０１）。
【００９６】
次に、サーバ送信部３３３は、作成された事前特典画面表示データを、当該事前特典画面表示データに対応付けられた所属ユーザＩＤによって識別されるユーザが所有する携帯端末２にサーバ通信部３１を介して送信する（ステップＳ２０２）。
【００９７】
次に、携帯端末２の閲覧実行部２６１は、管理サーバ３から第１無線通信部２１を介して事前特典画面表示データを受信すると、受信した事前特典画面表示データに基づいて事前特典画面４１０を表示部２５に表示する(ステップＳ２０３）。このように、事前特典画面４１０が表示部２５に表示されることにより、グループに所属するユーザは、事前に特典が付与されることを理解することができるため、イベントを開催しようとする意欲を向上させることが可能となる。
【００９８】
次に、携帯端末２の滞在判定部２６２は、携帯端末２を所有するユーザの移動に伴い、無線端末装置８からの電波が届く範囲内に到達した場合、第２無線通信部２２を介して無線端末装置８から受信した開催場所識別情報（開催場所ＩＤ等）を含む信号を取得する（ステップＳ２０４）。
【００９９】
次に、端末送信部２６３は、滞在情報を生成し、生成した滞在情報を第１無線通信部２１を介して管理サーバ３に送信する（ステップＳ２０５）。なお、滞在情報には、滞在判定部２６２が取得した信号に含まれる開催場所情報と当該携帯端末２を所有するユーザのユーザＩＤとが含まれる。
【０１００】
次に、管理サーバ３の取得部３３４は、サーバ通信部３１を介して携帯端末２から受信した滞在情報を取得する。次に、算出部３３５は、取得部３３４によって滞在情報が取得されると、算出処理を実行する（ステップＳ２０６）。算出処理の詳細については後述する。
【０１０１】
次に、算出部３３５は、算出処理によって生成された通知画面表示データを、サーバ通信部３１を介して携帯端末２に送信する（ステップＳ２０７）。なお、通知画面表示データが送信される携帯端末２は、ステップＳ２０６において取得した滞在情報に含まれるユーザＩＤに関連付けられたグループＩＤの所属ユーザＩＤに対応する携帯端末２である。
【０１０２】
次に、携帯端末２の閲覧実行部２６１は、管理サーバ３から第１無線通信部２１を介して通知画面表示データを受信すると、受信した通知画面表示データに基づいて通知画面６００を表示部２５に表示する(ステップＳ２０８）。なお、ステップＳ２０４〜ステップＳ２０８の一連の処理は、グループに所属するユーザが所有する携帯端末２が、開催場所に位置するたびに実行される。
【０１０３】
次に、管理サーバ３の変動部３３６は、変動処理を実行する（ステップＳ２０９）。変動処理の詳細については後述する。
【０１０４】
次に、変動部３３６は、変動処理によって生成された特典画面表示データを、サーバ通信部３１を介して携帯端末２に送信する（ステップＳ２１０）。特典画面表示データが送信される携帯端末２は、イベントテーブルにおいて、イベントＩＤに関連付けられた参加ユーザＩＤによって識別されるユーザが所有する携帯端末２である。
【０１０５】
そして、携帯端末２の閲覧実行部２６１は、管理サーバ３から第１無線通信部２１を介して特典画面表示データを受信すると、受信した特典画面表示データに基づいて特典画面６１０を表示部２５に表示する(ステップＳ２１１）。
【０１０６】
（算出処理）
図１２は、算出処理の一例を示すフローチャートである。図１２に示す算出処理は、図１１のステップＳ２０６において実行される。
【０１０７】
まず、算出部３３５は、取得部３３４から滞在情報を取得する（ステップＳ３０１）。次に、算出部３３５は、グループテーブルを参照して、取得した滞在情報に含まれるユーザＩＤが所属ユーザＩＤとして関連付けられたグループＩＤを抽出する。次に、算出部３３５は、抽出されたグループＩＤに関連付けられたクーポンＩＤがクーポンテーブルに記憶されているか否か判定する（ステップＳ３０２）。次に、算出部３３５は、クーポンＩＤがクーポンテーブルに記憶されていないと判定した場合（ステップＳ３０２−Ｎｏ）、一連のステップを終了する。
【０１０８】
また、算出部３３５は、クーポンＩＤがクーポンテーブルに記憶されていると判定した場合（ステップＳ３０２−Ｙｅｓ）、滞在情報に関連するイベントがイベントテーブルに登録されているか否かを判定する（ステップＳ３０３）。まず、算出部３３５は、取得した滞在情報から開催場所情報（開催場所識別情報等）及びユーザＩＤを抽出する。次に、算出部３３５は、グループテーブルを参照して、抽出されたユーザＩＤが所属ユーザＩＤとして関連付けられたグループＩＤを抽出する。そして、算出部３３５は、抽出された開催場所情報（開催場所識別情報等）と抽出されたグループＩＤとの両者に関連付けられたイベントＩＤがイベントテーブルに記憶されているか否か判定する。
【０１０９】
次に、算出部３３５は、イベントＩＤがイベントテーブルに記憶されていないと判定した場合（ステップＳ３０３−Ｎｏ）、新たなイベントの情報を作成してイベントテーブルに記憶する（ステップＳ３０４）。まず、算出部３３５は、グループ取得部３３２に対して、グループＩＤの取得を指示する。グループ取得部３３２は、グループテーブルを参照して、滞在情報に含まれるユーザＩＤが所属ユーザＩＤとして関連付けられたグループＩＤを取得する。次に、算出部３３５は、開催場所取得部３３１に対して、取得されたグループＩＤに関連付けられたクーポンＩＤ及び開催場所ＩＤの取得を指示する。開催場所取得部３３１は、クーポンテーブルを参照して、抽出されたグループＩＤに関連付けられたクーポンＩＤを取得するとともに、取得されたクーポンＩＤに関連付けられた開催場所ＩＤを取得する。なお、開催場所取得部３３１は、取得されたクーポンＩＤに開催場所ＩＤが関連付けられていない場合、開催場所テーブルを参照して、開催場所テーブルに記憶された全ての開催場所ＩＤを取得する。次に、算出部３３５は、滞在情報に含まれる開催場所情報（開催場所識別情報）と開催場所取得部３３１が取得した開催場所ＩＤとが同一の場合に限り、当該クーポンＩＤを抽出する。次に、算出部３３５は、滞在情報の受信時刻を開始時刻とし、当該開始時刻から所定時間後を終了時刻とした特定期間を設定する。そして、算出部３３５は、抽出されたクーポンＩＤ、滞在情報に含まれるユーザＩＤが所属ユーザＩＤとして関連付けられたグループＩＤ、設定された特定期間、滞在情報に含まれる開催場所情報（開催場所識別情報）、滞在情報に含まれるユーザＩＤ（参加ユーザＩＤ）を、新たなイベントＩＤと関連付けて、イベントテーブルに記憶する。以上により、新たなイベントの情報の作成を終了すると、算出部３３５は、イベントに１名だけ参加している旨の通知画面を表示するための通知画面表示データを作成し（ステップＳ３０９）、一連のステップを終了する。
【０１１０】
また、算出部３３５は、イベントＩＤがイベントテーブルに記憶されていると判定した場合（ステップＳ３０３−Ｙｅｓ）、滞在情報を受信した時刻が、当該イベントＩＤに関連付けられた特定期間中の時刻であるか否かを判定する（ステップＳ３０５）。なお、携帯端末２の端末送信部２６３が、無線端末装置８から開催場所情報（開催場所識別情報等）を含む信号を受信した時刻を含む滞在情報を送信した場合、算出部３３５は、滞在情報に含まれる時刻が特定期間中の時刻であるか否かを判定するようにしてもよい。
【０１１１】
次に、算出部３３５は、滞在情報を受信した時刻が特定期間中の時刻でないと判定した場合（ステップＳ３０５−Ｎｏ）、イベントが終了した旨の通知画面を表示するための通知画面表示データを作成し（ステップＳ３０９）、一連のステップを終了する。
【０１１２】
また、算出部３３５は、滞在情報を受信した時刻が特定した特定期間中であると判定した場合（ステップＳ３０５−Ｙｅｓ）、滞在情報に含まれるユーザＩＤを参加ユーザＩＤとして、取得されたイベントＩＤに関連付けてイベントテーブルに記憶する（ステップＳ３０６）。
【０１１３】
次に、算出部３３５は、イベントテーブルを参照して、取得されたイベントＩＤに関連付けられた参加ユーザＩＤの数を参加人数として算出する（ステップＳ３０７）。
【０１１４】
次に、算出部３３５は、イベントテーブル及びグループテーブルを参照して、取得されたイベントＩＤに関連付けられたグループＩＤの所属ユーザＩＤの数（グループに所属するユーザの所属人数）に対する、ステップＳ３０７で算出された参加人数の比率を参加比率として算出する（ステップＳ３０８）。
【０１１５】
そして、算出部３３５は、算出された参加人数又は参加比率を含む算出結果通知６０１を含む通知画面を表示するための通知画面表示データを作成し（ステップＳ３０９）、一連のステップを終了する。
【０１１６】
なお、特定期間中のイベントを開催したグループに所属するユーザによって、携帯端末２に表示された所定の通知閲覧ボタン（図示せず）が押下されると、携帯端末２は通知画面を表示するように構成してもよい。この場合、まず、携帯端末２の閲覧実行部２６１は、ユーザによって所定の通知閲覧ボタンが押下されると、通知閲覧指示を管理サーバ３に送信する。次に、管理サーバ３の算出部３３５は、通知閲覧指示を受信すると、上述のステップＳ３０７〜Ｓ３０９の各処理を実行し、作成された通知画面表示データを、通知閲覧指示を送信した携帯端末２に送信する。そして、携帯端末２の閲覧実行部２６１は、受信した通知画面表示データに基づいて通知画面を表示部２５に表示する。
【０１１７】
図１３は、変動処理の一例を示すフローチャートである。図１３に示す変動処理は、図１１のステップＳ２０９において実行される。
【０１１８】
変動部３３６は、イベント毎に、イベントテーブルを参照して、現在時刻が特定期間における終了時刻を経過するまで待機する（ステップＳ４０１−Ｎｏ）。変動部３３６は、現在時刻が特定期間における終了時刻を経過したイベントが発生した場合（ステップＳ４０１−Ｙｅｓ）、イベントテーブルを参照して、当該イベントのイベントＩＤに関連付けられた参加ユーザＩＤの数を参加人数として算出する（ステップＳ４０２）。
【０１１９】
次に、変動部３３６は、イベントテーブル及びグループテーブルを参照して、取得されたイベントＩＤに関連付けられたグループＩＤの所属ユーザＩＤの数（グループに所属するユーザの所属人数）に対する、ステップＳ４０２で算出された参加人数の比率を参加比率として算出する（ステップＳ４０３）。
【０１２０】
次に、変動部３３６は、イベントテーブルを参照して、取得されたイベントＩＤに関連付けられたクーポンＩＤを抽出する。次に、変動部３３６は、クーポンテーブルを参照して、算出された参加人数及び／又は参加比率に基づいて、クーポンＩＤに対応する特典を決定する（ステップＳ４０４）。なお、変動部３３６は、グループに所属するユーザの所属人数が多いほど、特典の価値の上限を更に高く設定してもよい。例えば、最大２０％の割引率の特典を付与する割引クーポンがグループの所属ユーザに送信される場合、変動部３３６は、当該グループに所属するユーザの所属人数が所定人数以上の場合、最大３０％の割引率となるように設定する。これにより、各ユーザに対し、グループの人数を多くしようとする意欲を向上させることが可能となる。
【０１２１】
そして、変動部３３６は、決定された特典を示す特典表示６１１を含む特典画面を表示するための特典画面表示データを作成し（ステップＳ４０５）、一連のステップを終了する。
【０１２２】
以上説明してきたように、次に開催されたイベントの当該グループに所属するユーザの参加人数又は参加比率に応じて、イベントに関する特典を付与することができ、グループに所属するユーザのイベント参加意欲を向上させることが可能となる。
【０１２３】
（変形例１）
なお、本発明は、本実施形態に限定されるものではない。例えば、携帯端末２は、当該携帯端末２がイベントの開催場所に位置したか否かの判定を、携帯端末２に設けたＧＰＳ部（図示せず）によって特定された携帯端末の位置情報及び位置時刻情報に基づいて実行してもよい。なお、ＧＰＳ部は、位置特定部の一例である。
【０１２４】
携帯端末２が備えるＧＰＳ部は、主に１．５ＧＨｚ帯を感受帯域とするアンテナを含む、ＧＰＳ回路を有し、不図示のＧＰＳ衛星からＧＰＳ信号を受信する。ＧＰＳ部は、そのＧＰＳ信号をデコードし、時刻情報等を取得する。次に、ＧＰＳ部は、その時刻情報等に基づいてＧＰＳ衛星から携帯端末２までの擬似距離を計算し、その擬似距離を代入して得られる連立方程式を解くことにより、携帯端末２が存在する位置（緯度、経度、高度等）を検出する。そして、ＧＰＳ部は、検出した位置を示す位置情報と取得した位置時刻情報とを関連付けて定期的に出力する。
【０１２５】
携帯端末２の滞在判定部２６２は、ＧＰＳ部から定期的に出力される位置情報及び位置時刻情報を取得し、取得された位置情報及び位置時刻情報を、携帯端末２を所有するユーザのユーザＩＤとともに第１無線通信部２１を介して管理サーバ３に送信する。
【０１２６】
管理サーバ３の取得部３３４は、サーバ通信部３１を介して携帯端末２から受信した位置情報及び位置時刻情報を取得する。次に、取得部３３４は、位置情報及び位置時刻情報を取得すると、イベントテーブルを参照して、位置情報及び位置時刻情報とともに取得したユーザＩＤに関連付けられたイベントＩＤを取得する。次に、取得部３３４は、開催場所テーブルを参照して取得した位置情報から所定範囲内の位置情報に関連付けられた開催場所ＩＤを特定する。そして、イベントＩＤに関連付けられた開催場所情報（開催場所識別情報等）から所定範囲内の位置を示し、且つ、取得した位置時刻情報がイベントＩＤに関連付けられた特定期間中である場合、位置情報及び位置時刻情報とともに取得したユーザＩＤを参加ユーザＩＤとして、取得されたイベントＩＤに関連付けてイベントテーブルに記憶する。
【０１２７】
これにより、イベントの開催場所情報（開催場所識別情報等）に、無線端末装置８等の装置を新たに設置する必要が無く、管理システム１の構築を容易に行うことが可能となる。
【０１２８】
（変形例２）
また、管理サーバ３は、各グループが開催したイベントの履歴を記憶してもよい。すなわち、管理サーバ３の変動部３３６は、上述のステップＳ４０１において、現在時刻が特定期間における終了時刻を経過したイベントが発生したと判断された場合（ステップＳ４０１−Ｙｅｓ）、イベントテーブルを参照して、当該イベントのイベントＩＤに関連付けられたグループＩＤ、開催場所ＩＤ及び参加ユーザＩＤを抽出する。そして、変動部３３６は、抽出されたグループＩＤに関連付けて、抽出された開催場所ＩＤを開催済み場所ＩＤとして、参加ユーザＩＤとともに図示しない開催済みテーブルに記憶する。また、変動部３３６は、各グループＩＤに関連付けて、開催済み場所ＩＤを記憶した回数をイベント開催回数として開催済みテーブルに記憶する。なお、開催済み場所ＩＤは、開催済み場所情報の一例である。
【０１２９】
この場合、サーバ送信部３３３は、開催済みテーブルを参照して、グループＩＤ、及び、当該グループＩＤに関連付けられた開催済み場所ＩＤを抽出する。そして、サーバ送信部３３３は、クーポンテーブルを参照して、抽出された開催済み場所ＩＤに関連づけられたクーポンＩＤのクーポンを示す事前特典画面４１０を表示するための事前特典画面表示データを、抽出されたグループＩＤの所属ユーザＩＤに対応付けて作成してもよい。これにより、過去にグループが開催した開催場所のクーポンを再度、当該グループに送付することが可能となる。
【０１３０】
また、サーバ送信部３３３は、開催済みテーブルを参照して、グループＩＤを抽出するとともに、当該グループＩＤに関連付けられた参加ユーザＩＤのうち、直近に記憶された参加ユーザＩＤを抽出する。そして、サーバ送信部３３３は、各クーポンを示す事前特典画面４１０を表示するための事前特典画面表示データを、直近に記憶された参加ユーザＩＤに対応付けて作成してもよい。これにより、前回のイベントに欠席したユーザには、クーポンを送信しないようにすることが可能となる。
【０１３１】
また、変動部３３６は、開催済みテーブルを参照して、グループＩＤ、及び、当該グループＩＤに関連付けられたイベント開催回数を抽出する。そして、上述したステップＳ４０４において、変動部３３６は、抽出されたイベント開催回数、又は、所定期間当たりのイベント開催回数が少ないほど、クーポンＩＤに対応する特典の価値が高くなるように、特典を決定する。なお、所定期間当たりのイベント開催回数は、イベント開催頻度の一例である。これにより、イベントを開催する回数が少ないグループに対して、特典の価値が高いクーポンを送付することになり、イベントの開催意欲を向上させることが可能となる。
【０１３２】
（変形例３）
また、グループテーブルは、各グループについて、当該グループのグループ属性を更に関連付けて記憶してもよい。グループ属性は、例えば、グループの所属ユーザの脱退率、趣味、居住地域、年齢構成及び男女比等である。なお、グループの脱退率は、当該グループの所属ユーザとして記憶されたユーザ及び当該グループの所属ユーザとして記憶されたことがあるユーザの合計数に対する、当該グループの所属から外れたユーザの数の比率等である。
【０１３３】
この場合、変動部３３６は、グループ取得部３３２にグループ属性の取得を指示すると、グループ取得部３３２は、グループテーブルを参照して、イベントＩＤに関連付けられたグループ属性を取得し、変動部３３６は、取得されたグループ属性に基づいて、特典を変動させる。例えば、変動部３３６は、趣味が料理又は食事以外、居住地域が分散している、年齢構成が所定年齢よりも高い、男性比率が高い等の、食事会を開催する頻度（１か月あたりの開催回数等）が所定数以下であると想定されるグループ属性に対して、所定の係数（“１．２”等）を設定する。そして、変動部３３６は、算出された参加人数及び／又は参加比率に対しグループ属性に対応する係数を乗算した値に基づいて特典を決定する。これにより、例えば、イベントを開催する可能性が低いグループに対して１．０以上の係数を設定することにより、イベント開催する意欲を向上させることが可能となる。また、変動部３３６は、脱退率が所定率以下の場合、特典の価値が高くなるように特典を決定してもよい。
【０１３４】
（変形例４）
また、グループの登録は、外部サーバによって実行されるアプリケーションにおいて用いられ且つ外部サーバから提供されたグループに基づいて実施されてもよい。例えば、まず、管理サーバ３の開催場所取得部３３１は、管理サーバ３に登録され且つ管理サーバ３とは異なるウェブサーバによって運営されるＳＮＳアプリケーションに登録されたユーザの情報を取得する。ここで、ユーザの情報によって示されるユーザは、ＳＮＳアプリケーションにおいて設定されたグループに所属する。また、ユーザの情報は、当該ユーザが所属するグループの名称及び当該ユーザのユーザＩＤを含む。次に、開催場所取得部３３１は、取得したユーザの情報のうち、同一のグループに所属するユーザの情報を抽出する。次に、開催場所取得部３３１は、抽出したユーザの情報に基づいて、抽出したユーザの情報に含まれるグループの名称及びユーザＩＤを、グループ名称及び所属ユーザＩＤとして、新たにグループＩＤと関連付けてグループテーブルに記憶する。これにより、他のサービスにおいて作成された既存のグループに対して、管理システム１の機能を容易に提供することが可能となる。
【０１３５】
（変形例５）
また、イベントテーブルにおいて、ユーザの指示に従って、一のイベントに対して関連付けられた、複数のグループＩＤを取得する合同グループ取得処理を行ってもよい。この場合において、グループ取得部３３２は、グループテーブルを参照して、取得されたイベントＩＤに関連付けられた複数のグループを取得し、変動部３３６は、取得されたグループの数を計数し、算出された参加人数及び／又は参加比率とともに計数されたグループの数が多いほど、価値の高い特典を決定する。これにより、複数のグループが合同でイベントに参加（開催）する場合、価値の高い特典を両グループに付与することが可能となり、大きなイベントを開催しようとする意欲を向上させることが可能となる。
【０１３６】
当業者は、本発明の精神及び範囲から外れることなく、様々な変更、置換及び修正をこれに加えることが可能であることを理解されたい。
【符号の説明】
【０１３７】
１    管理システム
２、２ａ、２ｂ、２ｃ、２ｄ    携帯端末
２１    第１無線通信部
２２    第２無線通信部
２３    端末記憶部
２４    操作部
２５    表示部
２６    端末処理部
２６１    閲覧実行部
２６２    滞在判定部
２６３    端末送信部
３    管理サーバ
３１    サーバ通信部
３２    サーバ記憶部
３３    サーバ処理部
３３１    開催場所取得部
３３２    グループ取得部
３３３    サーバ送信部
３３４    取得部
３３５    算出部
３３６    変動部
４    基地局
５    移動体通信網
６    ゲートウェイ
７    インターネット
８    無線端末装置
【図１】
0006655954.tif 000002
【図２】
0006655954.tif 000003
【図３】
0006655954.tif 000004
【図４】
0006655954.tif 000005
【図５】
0006655954.tif 000006
【図６】
0006655954.tif 000007
【図７】
0006655954.tif 000008
【図８】
0006655954.tif 000009
【図９】
0006655954.tif 000010
【図１０】
0006655954.tif 000011
【図１１】
0006655954.tif 000012
【図１２】
0006655954.tif 000013
【図１３】
0006655954.tif 000014